(57)【要約】【課題】  多量な接着剤や煩雑な接着剤塗布作業を要せず低廉に作製できると共に、使用者側でも容易に組み立てることができる桁付きパレットおよびその製造方法を提供する。【解決手段】本発明の桁付きパレット１は、板状体を折り畳んで形成された複数の桁部材２と、桁部材２に載置された天板４とを有している。このため、多量な接着剤や煩雑な接着剤塗布作業を要せず低廉に作製できると共に、使用者側でも容易に組み立てることができる。【選択図】図１
2015134640.tif 000002
【特許請求の範囲】
【請求項１】
板状体を折り畳んで形成された複数の桁部材と、該桁部材に載置固定された天板とを有していることを特徴とする桁付きパレット。
【請求項２】
前記桁付きパレットは、前記天板が厚さ方向に貫通して設けられた貫通穴を有し、さらに、前記天板の前記貫通穴に挿通されると共に前記桁部材と係合して前記天板に前記桁部材を取り付けるための係止部材とを有している請求項１に記載の桁付きパレット。
【請求項３】
前記天板の前記貫通穴は、前記桁部材の長手方向に沿って形成されると共に対となる長孔にて構成され、前記係止部材は、前記対となる長孔にそれぞれ挿通されると共に前記桁部材内にそれぞれ侵入する一対の挿入片と、該一対の挿入片を連設する連設片とを有し、前記桁部材は、前記係止部材の前記一対の挿入片をそれぞれ差し込み保持可能な溝部を有している請求項２に記載の桁付きパレット。
【請求項４】
前記係止部材は、前記一対の挿入片の先端に屈曲または湾曲可能な係止片をそれぞれ有し、前記桁部材は、前記溝部に隣接する部位に前記係止部材の前記係止片を収容し係止可能な係止片収容空間を有している請求項２または３に記載の桁付きパレット。
【請求項５】
前記桁部材は、両側側から中央に向かって折り畳まれて構成されており、底壁部と、該底壁部の両側からそれぞれ起立する両側壁部と、該両側壁部から内側に折り畳まれる折畳芯部とを有し、前記溝部は、前記両側壁部と前記折畳芯部との間隙に形成されている請求項３または４に記載の桁付きパレット。
【請求項６】
前記桁部材の前記両側壁部は、前記天板の前記貫通穴に侵入可能な上端延出片を有している請求項５に記載の桁付きパレット。
【請求項７】
板状体を折り畳んで形成された前記桁部材には、該桁部材の長手方向に直交する方向に配される直交方向補強部を備えた補強部材が設けられている請求項１に記載の桁付きパレット。
【請求項８】
前記補強部材は、立方体形状または長方体形状に形成されている請求項７に記載の桁付きパレット。
【請求項９】
前記補強部材は、板状体が両端側から中央に向かって折り畳まれて立方体形状または長方体形状に形成されている請求項８に記載の桁付きパレット。
【請求項１０】
前記桁部材は、前記補強部材と係合するための係合部を有している請求項７ないし９のいずれかに記載の桁付きパレット。
【請求項１１】
前記桁付きパレットは、前記天板の裏面に当接する天板当接面部と、該天板当接面部の両側にそれぞれ連設され前記桁部材の側面に当接する桁部材当接面部とを有する桁固定部材を備えている請求項１ないし１０のいずれかに記載の桁付きパレット。
【請求項１２】
前記桁部材の底部には、長手方向に沿って凹条部が設けられ、
前記桁固定部材は、前記桁部材当接面部に連設され前記凹条部に挿入される挿入片部を有している請求項１１に記載の桁付きパレット。
【請求項１３】
前記桁付きパレットは、離間して配された前記桁部材間に掛け渡されると共に前記桁部材の裏面に当接する底面構成部と、該底面構成部に連設され、前記桁部材の前記凹条部に挿入される挿入片部を有している桁部材間保持部材を備えている請求項１２に記載の桁付きパレット。
【請求項１４】
前記天板は、前記桁部材の側面に当接する側面当接面部と、該側面当接面部に連設され、前記桁部材の前記凹条部に挿入される挿入片部を有している請求項１２または１３に記載の桁付きパレット。
【請求項１５】
前記桁付きパレットは、ダンボール板にて形成されている請求項１ないし１４のいずれかに記載の桁付きパレット。
【請求項１６】
前記天板は、複数の前記板状体が厚さ方向に積層されて形成されている請求項１ないし１５のいずれかに記載の桁付きパレット。
【請求項１７】
前記複数の桁部材はそれぞれ、桁部材の延在方向に対して直交する方向に横断する空隙が二列以上構成されるように分割されて天板に取り付けられている請求項１ないし１６のいずれかに記載の桁付きパレット。
【請求項１８】
前記天板の上面には、被覆用シートが装着可能に構成されている請求項１ないし１７のいずれかに記載の桁付きパレット。
【請求項１９】
板状体を折り畳んで複数の桁部材を形成する工程と、前記複数の桁部材の上部に天板を載置して固定する工程とを有していることを特徴とする桁付きパレットの製造方法。
【請求項２０】
前記複数の桁部材の上部に天板を載置して固定する工程は、前記複数の桁部材の上部に厚さ方向に貫通して設けられた貫通穴を備えた天板を載置する工程と、前記天板の前記貫通穴に係止部材の挿入片を挿通させると共に前記桁部材と係合させて前記天板に前記桁部材を取り付ける工程とを有している請求項１９に記載の桁付きパレットの製造方法。
【請求項２１】
前記板状体を折り畳んで複数の桁部材を形成する工程は、前記桁部材に該桁部材の長手方向に直交する方向に補強部材を配する工程を有している請求項１９または２０に記載の桁付きパレットの製造方法。
【請求項２２】
前記桁付きパレットは、前記天板の裏面に当接する天板当接面部と、該天板当接面部の両側にそれぞれ連設され前記桁部材の側面に当接する桁部材当接面部とを有する桁固定部材を備え、前記複数の桁部材の上部に天板を載置して固定する工程は、前記桁固定部材を前記天板の裏面に固定する工程を有している請求項１９ないし２１のいずれかに記載の桁付きパレットの製造方法。
【請求項２３】
前記桁付きパレットは、離間して配された前記桁部材間に掛け渡されると共に裏面に当接する底面構成部を有する桁部材間保持部材を備え、前記複数の桁部材の上部に天板を載置して固定する工程は、前記桁部材間保持部材を前記桁部材の裏面に固定する工程を有している請求項１９ないし２２のいずれかに記載の桁付きパレットの製造方法。
【発明の詳細な説明】
【技術分野】
【０００１】
本発明は、例えば梱包材、搬送用パレットまたは建材などに使用して好適な桁付きパレットおよびその製造方法に関するものである。
【背景技術】
【０００２】
従来より、搬送用パレット等に使用される桁付きパレットが種々提案されている。例えばそのような桁付きパレットとして、図２０に示したダンボールパレット５０（特開２０００−３０２１２９号公報）がある。このダンボールパレット５０は、表面部５１、裏面部５２と、両側面部５３と、表裏面部間の間隙に配され垂直方向に積層されて形成された複数の桁材５４とから構成されている。
【０００３】
しかし、このダンボールパレット５０は、積層して形成される桁材５４の作製を接着剤で行っているため、多量の接着剤を要すると共に煩雑な接着剤塗布作業を要しコスト高の要因となっていた。また、煩雑な接着剤塗布作業を要することにより使用者側で容易に組み立てることができなかった。
【先行技術文献】
【特許文献】
【０００４】
【特許文献１】特開２０００−３０２１２９号公報
【発明の概要】
【発明が解決しようとする課題】
【０００５】
そこで、本発明の課題は、多量な接着剤や煩雑な接着剤塗布作業を要せず低廉に作製できると共に、使用者側でも容易に組み立てることができる桁付きパレットおよびその製造方法を提供することにある。
【０００６】
上記課題を解決するものは、板状体を折り畳んで形成された複数の桁部材と、該桁部材に載置固定された天板とを有していることを特徴とする桁付きパレットである。
【０００７】
前記桁付きパレットは、前記天板が厚さ方向に貫通して設けられた貫通穴を有し、さらに、前記天板の前記貫通穴に挿通されると共に前記桁部材と係合して前記天板に前記桁部材を取り付けるための係止部材とを有していることが好ましい。前記天板の前記貫通穴は、前記桁部材の長手方向に沿って形成されると共に対となる長孔にて構成され、前記係止部材は、前記対となる長孔にそれぞれ挿通されると共に前記桁部材内にそれぞれ侵入する一対の挿入片と、該一対の挿入片を連設する連設片とを有し、前記桁部材は、前記係止部材の前記一対の挿入片をそれぞれ差し込み保持可能な溝部を有していることが好ましい。前記係止部材は、前記一対の挿入片の先端に屈曲または湾曲可能な係止片をそれぞれ有し、前記桁部材は、前記溝部に隣接する部位に前記係止部材の前記係止片を収容し係止可能な係止片収容空間を有していることが好ましい。前記桁部材は、両側側から中央に向かって折り畳まれて構成されており、底壁部と、該底壁部の両側からそれぞれ起立する両側壁部と、該両側壁部から内側に折り畳まれる折畳芯部とを有し、前記溝部は、前記両側壁部と前記折畳芯部との間隙に形成されていることが好ましい。前記桁部材の前記両側壁部は、前記天板の前記貫通穴に侵入可能な上端延出片を有していることが好ましい。
【０００８】
また、上記課題を解決するものは、板状体を折り畳んで形成された複数の桁部材と、該桁部材に載置固定された天板とを有した桁付きパレットであって、前記板状体を折り畳んで形成された前記桁部材には、該桁部材の長手方向に直交する方向に配される直交方向補強部を備えた補強部材が設けられていることを特徴とする桁付きパレットである。
【０００９】
前記補強部材は、立方体形状または長方体形状に形成されていることが好ましい。前記補強部材は、板状体が両端側から中央に向かって折り畳まれて立方体形状または長方体形状に形成されていることが好ましい。前記桁部材は、前記補強部材と係合するための係合部を有していることが好ましい。前記桁付きパレットは、前記天板の裏面に当接する天板当接面部と、該天板当接面部の両側にそれぞれ連設され前記桁部材の側面に当接する桁部材当接面部とを有する桁固定部材を備えていることが好ましい。前記桁部材の底部には、長手方向に沿って凹条部が設けられ、前記桁固定部材は、前記桁部材当接面部にそれぞれ連設され前記凹条部に挿入される挿入片部を有していることが好ましい。前記桁付きパレットは、離間して配された前記桁部材間に掛け渡されると共に裏面に当接する底面構成部と、該底面構成部に連設され前記桁部材の前記凹条部に挿入される挿入片部を有している桁部材間保持部材を備えていることが好ましい。前記天板は、前記桁部材の側面に当接する側面当接面部と、該側面当接面部に連設され前記桁部材の前記凹条部に挿入される挿入片部を有していることが好ましい。
【００１０】
前記桁付きパレットは、ダンボール板にて形成されていることが好ましい。前記天板は、複数の前記板状体が厚さ方向に積層されて形成されていることが好ましい。前記複数の桁部材はそれぞれ、桁部材の延在方向に対して直交する方向に横断する空隙が二列以上構成されるように分割されて天板に取り付けられていることが好ましい。前記天板の上面には、被覆用シートが装着可能に構成されていてもよい。
【００１１】
さらに、上記課題を解決するものは、板状体を折り畳んで複数の桁部材を形成する工程と、前記複数の桁部材の上部に天板を載置して固定する工程とを有していることを特徴とする桁付きパレットの製造方法である。
【００１２】
前記複数の桁部材の上部に天板を載置して固定する工程は、前記複数の桁部材の上部に厚さ方向に貫通して設けられた貫通穴を備えた天板を載置する工程と、前記天板の前記貫通穴に係止部材の挿入片を挿通させると共に前記桁部材と係合させて前記天板に前記桁部材を取り付ける工程とを有していることが好ましい。前記板状体を折り畳んで複数の桁部材を形成する工程は、前記桁部材内に該桁部材の長手方向に直交する方向に補強部材を配する工程を有していることが好ましい。前記桁付きパレットは、前記天板の裏面に当接する天板当接面部と、該天板当接面部の両側にそれぞれ連設され前記桁部材の側面に当接する桁部材当接面部とを有する桁固定部材を備え、前記複数の桁部材の上部に天板を載置して固定する工程は、前記桁固定部材を前記天板の裏面に固定する工程を有していることが好ましい。前記桁付きパレットは、離間して配された前記桁部材間に掛け渡されると共に裏面に当接する底面構成部を有する桁部材間保持部材を備え、前記複数の桁部材の上部に天板を載置して固定する工程は、前記桁部材間保持部材を前記桁部材の裏面に固定する工程を有していることが好ましい。
【発明の効果】
【００１３】
請求項１に記載した桁付きパレットによれば、多量な接着剤や煩雑な接着剤塗布作業を要せず低廉に作製できると共に、使用者側でも容易に組み立てることができる。
請求項２に記載した桁付きパレットによれば、上記請求項１の効果に加え、天板と桁部材との接合作業に特に接着剤を要せず、使用者側でより容易に組み立てることができる。
請求項３に記載した桁付きパレットによれば、上記請求項２の効果に加え、天板を桁部材により容易かつ確実に取り付けることができる。
請求項４に記載した桁付きパレットによれば、上記請求項２または３の効果に加え、天板と桁部材とが分離することがなく、天板を桁部材により強固に取り付けることができる。
請求項５に記載した桁付きパレットによれば、上記請求項２ないし４の効果に加え、より強度に優れた桁部材を構成できる。
請求項６に記載した桁付きパレットによれば、上記請求項２ないし５の効果に加え、天板と桁部材との相対的位置がずれることを抑制できると共に、天板を桁部材により容易かつ強固に取り付けることができる。
請求項７に記載した桁付きパレットによれば、多量な接着剤や煩雑な接着剤塗布作業を要せず低廉に作製できると共に、使用者側でも容易に組み立てることができることに加え、桁部材の長手方向に対して直交する方向の強度を増大させた桁付きパレットを構成できる。
請求項８に記載した桁付きパレットによれば、桁部材の長手方向に対して直交する方向の強度をさらに増大させた桁付きパレットを構成できる。
請求項９に記載した桁付きパレットによれば、桁部材の長手方向に対して直交する方向の強度をさらに著しく増大させた桁付きパレットを構成できる。
請求項１０に記載した桁付きパレットによれば、補強部材を確実に桁部材内の所定位置に固定できる桁付きパレットを構成できる。
請求項１１に記載した桁付きパレットによれば、桁部材が天板より外れることを防止できる。
請求項１２に記載した桁付きパレットによれば、桁固定部材をより容易かつ強固に天板に取り付けることができ、桁部材が天板から外れることをより防止できる。
請求項１３に記載した桁付きパレットによれば、桁部材のぐらつきを抑制できると共に、桁部材を天板に安定した状態で取り付けることができる。
請求項１４に記載した桁付きパレットによれば、天板と桁部材との取り付け状態をより安定したものとすることができる。
請求項１５に記載した桁付きパレットによれば、低廉で耐久性に優れた桁付きパレットを構成できる。
請求項１６に記載した桁付きパレットによれば、低廉で耐久性に優れた天板を構成できる。
請求項１７に記載した桁付きパレットによれば、特に搬送用パレットとして使用した場合に、四方差し可能な桁付きパレットとなる。
請求項１８に記載した桁付きパレットによれば、天板の上面に段差のない平滑な天板の桁付きパレットを構成できる。
請求項１９に記載した桁付きパレットの製造方法によれば、多量な接着剤や煩雑な接着剤塗布作業を要せず低廉に作製できると共に、使用者側でも容易に桁付きパレットを組み立てることができる。
請求項２０に記載した桁付きパレットの製造方法によれば、天板と桁部材との接合作業に特に接着剤を要せず、使用者側でより容易に桁付きパレットを組み立てることができる。
請求項２１に記載した桁付きパレットの製造方法によれば、多量な接着剤や煩雑な接着剤塗布作業を要せず低廉に作製できると共に、使用者側でも容易に組み立てることができることに加え、桁部材の長手方向に対して直交する方向の強度を増大させた桁付きパレットを構成できる。
請求項２２に記載した桁付きパレットの製造方法によれば、桁部材が天板より外れることを防止できる。
請求項２３に記載した桁付きパレットの製造方法によれば、桁部材のぐらつきを抑制できると共に、桁部材を天板に安定した状態で取り付けることができる。
【図面の簡単な説明】
【００１４】
【図１】本発明の桁付きパレットの一実施例を上面側から視た斜視図である。
【図２】図１に示した桁付きパレットを裏面側から視た斜視図である。
【図３】図１に示した桁付きパレットの組立方法を説明するための斜視図である。
【図４】図１のＡ−Ａ線における部分断面図である。
【図５】図１のＡ−Ａ線における組立前の部分断面図である。
【図６】図１に示した桁付きパレットの桁部材の展開図である。
【図７】図１に示した桁付きパレットの天板の展開図である。
【図８】図１に示した桁付きパレットの係止部材の展開図である。
【図９】本発明の桁付きパレットの他の実施例を裏面側から視た斜視図である。
【図１０】本発明の桁付きパレットの他の実施例の組立斜視図である。
【図１１】図１０に示した桁付きパレットの被覆用シートの展開図である。
【図１２】本発明の桁付きパレットの他の実施例における桁部材の展開図である。
【図１３】本発明の桁付きパレットの他の実施例における補強部材の展開図である。
【図１４】図１３に示した補強部材の補強部材の組立斜視図である。
【図１５】図１３に示した補強部材の組立後の底面図である。
【図１６】図１２に示した桁部材と図１３に示した補強部材の組付工程例を示した斜視図である。
【図１７】図１２に示した桁部材と図１３に示した補強部材の組付工程例を示した斜視図である。
【図１８】本発明の桁付きパレットの他の実施例を裏面側から視た斜視図である。
【図１９】図１８に示した桁付きパレットを裏面側から視た組立斜視図である。
【図２０】従来の桁付きパレットの縦断面図である。
【発明を実施するための形態】
【００１５】
本発明では、桁部材２が板状体を折り畳んで形成されることで多数枚の長尺状板状体同士を接着剤で接合して桁部材を作製する必要がないことから、多量な接着剤や煩雑な接着剤塗布作業を要せず低廉に作製できると共に、使用者側でも容易に組み立てることができる桁付きパレット１およびその製造方法を実現した。
【実施例１】
【００１６】
本発明の桁付きパレットを図１ないし図８に示した一実施例を用いて説明する。
この実施例の桁付きパレット１は、図１に示すように、板状体を折り畳んで形成された複数の桁部材２と、桁部材２に載置され厚さ方向に貫通して設けられた貫通穴３を備えた天板４と、天板４の貫通穴３に挿通されると共に桁部材２と係合して天板４に桁部材２を取り付けるための係止部材５とを有している。以下、各構成について順次詳述する。
【００１７】
この実施例の桁付きパレット１は、製品などを天板２の上面に載置してフォークリフトなどで搬送するための搬送用パレットである。ただし、本発明の桁付きパレットは搬送用パレットに限定されるものではなく、例えば梱包材または建材などに使用される桁付きパレットを広く包含するものである。
【００１８】
桁部材２は、図２に示すように、天板４の裏面に配された長尺状横架材であり、図６に示した板状体を折り畳んで構成されている。これにより、多数枚の分離した長尺状板状体同士を接着剤で接合して桁部材を作製する必要がなく、多量な接着剤や煩雑な接着剤塗布作業および接合作業を要せず低廉に桁付きパレットを作製できると共に、使用者側でも容易に組み立てることができる。
【００１９】
この実施例の桁部材２は、図６に示した板状体６が、両側側から中央に向かって折り畳まれて構成されており、図５に示すように、底壁部７と、底壁部７の両側からそれぞれ起立する両側壁部８，９と、両側壁部８，９から内側に折り畳まれる折畳芯部１０とを有している。
【００２０】
より具体的には、桁部材２を構成する板状体６には、図６に示すように、両側からそれぞれ内側に向かって順に、長手方向に沿って形成された谷折り用部分切断線６ａ，山折り線６ｂ（表面側半切り），巻回用部分切断線６ｃ，巻回用第１折曲線６ｄ，巻回用第２折曲線６ｅ，巻回用第３折曲線６ｆが設けられており、両側からそれぞれ内側に向かって折り畳むことにより、図５の最下部に示した縦断面の桁部材２が構成される。なお、板状体６の中芯を形成するフルートは、谷折り用部分切断線６ａ等の延在方向（板状体６の長手方向）と直交する方向に延在している。これにより、折り畳むと、フルートが垂直方向に延在するため、桁部材２の耐荷重強度を著しく向上させることができる。
【００２１】
また、桁部材２は、図５に示すように、係止部材５の一対の挿入片５ａ，５ｂをそれぞれ差し込み保持可能な溝部１１を有している  この溝部１１は、両側壁部８，９と折畳芯部１０との間隙にそれぞれ形成されており、図６に示すように、桁部材２を構成する板状体６の両側にそれぞれ３つの切り欠き部１２が形成されることにより構成される。
【００２２】
さらに、桁部材２は、溝部１１に隣接する部位（この実施例では図５に示すように溝部１１の内側下部）に係止部材５の係止片５ｄ，５ｅを収容し係止可能な係止片収容空間１３を有している。なお、この係止片収容空間１３も、桁部材２を構成する板状体６の両側にそれぞれ図６に示したような３つの切り欠き部１２が形成されることにより構成される。
【００２３】
さらに、桁部材２の両側壁部８，９は、図３または図５に示すように、天板４の貫通穴３に侵入可能な上端延出片１４を有している。この実施例では、１本の桁部材２について、長手方向に等間隔離間して３対の上端延出片１４がそれぞれ設けられている。これにより、天板４に桁部材２をより強固に取り付けることができる。
【００２４】
桁部材を形成する板状体としては、紙製ダンボール板、プラスチック製ダンボール板、耐水ダンボール板等の各種ダンボール板の他、例えばダンボール板以外の紙製または樹脂製の板状体などであってもよい。なお、この実施例の桁部材２は、紙製ダンボール板にて形成されている。
【００２５】
この実施例の天板４は、搬送用パレットの天板として上面に製品等を載置するための部位であり、図７に示すように、平面視略正方形の板材にて形成されている。この天板４は、図３に示すように、同一寸法同一形態の紙製ダンボール板が３枚、厚さ方向に積層されて形成されている。
【００２６】
ただし、天板を形成する板材としては紙製ダンボール板に限定されるものではなく、プラスチックダンボール板、耐水ダンボール板等のその他のダンボール板の他、紙製または樹脂製の板材などであってもよい。
【００２７】
また、本発明の天板は、複数種の異なるダンボール板を組み合わせたもの、あるいは一部にダンボール板以外の例えば木質系、樹脂系、金属製、紙製、発泡体等の板材を有するものなども広く包含される。さらに、この実施例の天板４は、３枚のダンボール板から形成されているが、肉厚に形成された一枚の板材からなるもの、積層枚数が３以外の枚数のものでもよい。さらに、この実施例の天板は平面視矩形であるが、どのような平面形状のものも本発明における天板に広く包含される。
【００２８】
天板４には、図３または図７に示すように、厚さ方向に貫通して設けられた貫通穴３が設けられている。この貫通穴３は、係止部材５の挿入片５ａ，５ｂを挿入するための部位であり、この実施例の貫通穴３は、３本の桁部材２の長手方向に沿って形成されると共に対となる長孔が各３対、計１８本、天板４に構成されている。
【００２９】
貫通穴４の横幅は、挿入される係止部材５の挿入片の横幅（この実施例では係止部材５の横幅）と略同一かそれより若干大きく構成されている。
【００３０】
係止部材５は、天板４の貫通穴３に挿通されると共に桁部材２と係合して天板４に桁部材２を取り付けるための部材であり、この実施例では、複数の板材にて構成された天板４を接着剤なく積層状態を保持するようにも機能する。
【００３１】
係止部材の形成材としては、紙製ダンボール板、プラスチック製ダンボール板、耐水ダンボール板等の各種ダンボール板の他、ダンボール板以外の紙製または樹脂製の板材などであってもよい。なお、この実施例の係止部材５は、紙製ダンボール板にて形成されている。
【００３２】
係止部材５は、図５または図８に示すように、対となる長孔（貫通穴４）にそれぞれ挿通されると共に桁部材２内にそれぞれ侵入する一対の挿入片５ａ，５ｂと、一対の挿入片５ａ，５ｂを連設する連設片５ｃと、一対の挿入片５ａ，５ｂの先端に屈曲または湾曲可能な係止片５ｄ，５ｅをそれぞれ有している。
【００３３】
具体的には、係止部材５は、図８に示すような長尺状の板状体にて形成されており、４本の折曲線５ｆ，５ｇ，５ｈ，５ｉに沿ってそれぞれ内側に折り曲げることにより、図５の最上部に示したような縦断面形状に構成される。
【００３４】
そして、図４または図５に示すように、天板４の貫通穴３に、挿入片５ａおよびその先端で内側に屈曲された係止片５ｄと，挿入片５ｂおよびその先端で内側に屈曲された係止片５ｅが、それぞれ挿通されると共に、桁部材２の溝部１１に侵入した後、さらに係止片５ｄ，５ｅが係止片収容空間１３に収容されることで容易に抜けないようロックされるため、桁付きパレット１を、多量な接着剤や煩雑な接着剤塗布作業および接合作業を要せず低廉に作製できると共に、使用者側でも容易に組み立てることができることに加え、天板４と桁部材２とが分離することがなく、天板４に桁部材２をより強固に取り付けることができる。
【００３５】
つぎに、本発明の桁付きパレットの製造方法を前述した桁付きパレット１の製造方法を例に説明する。
桁付きパレット１は、複数の紙製ダンボール板を厚さ方向に積層して天板４を形成する工程と、天板４を厚さ方向に貫通する貫通穴３を形成する工程と、板状体６を折り畳んで複数（この実施例では３本）の桁部材２を形成する工程と、複数（この実施例では３本）の桁部材２の上部に天板４を載置する工程と、天板４の貫通穴３に係止部材５の挿入片５ａ，５ｂを挿通させると共に桁部材２と係合させて天板４に桁部材２を取り付ける工程とを経て作製される。以下、各工程について順次詳述する。
【００３６】
複数の紙製ダンボール板を厚さ方向に積層して天板４を形成する工程は、紙製ダンボール板を所望の形状（この実施例では図７に示すような平面視矩形）に成形する工程と、成形した複数枚の紙製ダンボール板を積載して重ね合わせる工程を有し、成形工程は、紙製ダンボール板をトムソン加工などにより切断加工することにより行われる。
【００３７】
天板４を厚さ方向に貫通する貫通穴３を形成する工程は、上記成形工程と同時に、複数の紙製ダンボール板を端部を揃えて積層した場合に貫通穴３が形成されるよう、各紙製ダンボール板の対応する同一部位に同一形状の穴を切断加工することにより行われる。
【００３８】
板状体６を折り畳んで３本の桁部材２を形成する工程は、紙製ダンボール板をトムソン加工などにより所要の形態（図６の桁部材）に切断加工すると共に、各部の境界を屈曲加工することにより行われる。具体的には、桁部材２の形成は、長手方向に沿って形成された谷折り用部分切断線６ａ，山折り線６ｂ（表面側半切り），巻回用部分切断線６ｃ，巻回用第１折曲線６ｄ，巻回用第２折曲線６ｅ，巻回用第３折曲線６ｆに沿って、両側からそれぞれ内側に向かって折り畳むことにより、図５の最下部に示した縦断面の桁部材２を構成することにより行われる。
【００３９】
複数（この実施例では３本）の桁部材２の上部に天板４を載置する工程は、３本の桁部材２を等間隔離間させて平行に配した上に天板４を載置して、桁部材２の上端延出片１４を天板４の貫通穴３にそれぞれ差し込むことにより行われる。
【００４０】
天板４の貫通穴３に係止部材５の挿入片５ａ，５ｂを挿通させると共に桁部材２と係合させて天板４に桁部材２を取り付ける工程は、図４または図５に示すように、天板４の貫通穴３に、挿入片５ａおよびその先端で内側に屈曲された係止片５ｄと，挿入片５ｂおよびその先端で内側に屈曲された係止片５ｅとを、それぞれ挿通させると共に、桁部材２の溝部１１に侵入させ、さらに係止片５ｄ，５ｅを係止片収容空間１３に収容させることにより行われる。
【００４１】
本発明の桁付きパレットは、上記工程を経て作製されることにより、多量な接着剤や煩雑な接着剤塗布作業および接合作業を要せず低廉に作製できると共に、使用者側でも容易に組み立てることができることに加え、天板と桁部材とが分離することがなく、天板を桁部材により強固に取り付けることができる。
【００４２】
つぎに、図９に示した本発明の桁付きパレットの他の実施例について説明する。
桁付きパレット２０と前述した桁付きパレット１との相違は、複数の桁部材２の延在方向に対して直交する方向に横断する空隙が二列以上構成されるように、桁部材が分割されて天板に取り付けられている点のみであり他の同様である。桁付きパレット１と同一構成部分については同一符号を付し説明を省略する。
【００４３】
具体的には、一行の桁部材の延在方向（図９中手前側から斜め奥側）には、図９に示すように、それぞれ桁部材２ａ，２ｂ，２ｃが分割して天板４に取り付けられており、桁部材２ａと桁部材２ｂとの間、または桁部材２ｂと桁部材２ｃとの間には、延在方向に対して直交する方向に横断する空隙２１が二列構成されている。これより、搬送用パレットとして使用する場合に、桁付きパレット１がフォークリフト等により搬送される際に二方差しであるのに対して、四方差し可能な桁付きパレット２０が構成される。
【００４４】
さらに、図１０または図１１に示した桁付きパレット３０について説明する。
桁付きパレット３０と前述した桁付きパレット２０との相違は、天板４の上面に、被覆用シート３１が装着可能に構成されている点のみであり他の同様である。桁付きパレット２０と同一構成部分については同一符号を付し説明を省略する。
【００４５】
具体的には、被覆用シート３１は、天板４の平面視形状と同一形状の上面被覆部３２と、その両側に屈曲可能にそれぞれ設けられた側面被覆部３３と、側面被覆部３３に連設された差し込み片３４を有し、この被覆用シート３１は、桁付きパレット２０の上面側から天板４を被覆した後、桁部材２ａ，２ｂ，２ｃの間の空隙２１に差し込み片３４を差し込むことにより装着できるように構成されている。これにより、係止部材５により形成される若干の段差を被覆して段差のない平滑な天板の桁付きパレットを構成できる。
【００４６】
被覆用シート３１の形成材としては、紙製ダンボール板、プラスチック製ダンボール板、耐水ダンボール板等の各種ダンボール板の他、ダンボール板以外の紙製または樹脂製の板材などであってもよい。また、原紙表面に滑り止め加工を施した化粧板を使用してもよい。
【００４７】
さらに、図１２ないし図１７に示した桁付きパレットについて説明する。
この実施例の桁付きパレットは、桁部材の長手方向に直交する方向の強度を増大させた点を特徴とするものであり、板状体を折り畳んで形成された複数の桁部材４０と、桁部材４０に載置固定された天板とを有した桁付きパレットであって、板状体を折り畳んで形成された桁部材４０には、桁部材４０の長手方向に直交する方向に配される直交方向補強部４１を備えた補強部材４３が設けられていることを特徴とする桁付きパレットである。以下、各構成について順次詳述する。
【００４８】
桁部材４０は、図２に示した桁付きパレット1の桁部材２と同様に、天板の裏面に配された長尺状横架材であり、図１２に示した板状体４２を、図１６または図１７に示したように折り畳んで構成されている。これにより、図１８に示した従来例のように多数枚の分離した長尺状板状体同士を接着剤で接合して桁部材を作製する必要がなく、多量な接着剤や煩雑な接着剤塗布作業を要せず低廉に桁部材４０を作製できると共に、使用者側でも容易に桁部材４０を組み立てることができる。
【００４９】
この実施例の桁部材４０は、図１２に示した板状体４２が両端側から中央に向かって折り畳まれて構成されており、板状体４２は、底壁部４２ａと、底壁部４２ａの両側からそれぞれ起立する両側壁部４２ｂ，４２ｃと、両側壁部４２ｂ，４２ｃから内側に折り畳まれる上壁部４２ｄ，４２ｅと、上壁部４２ｄ，４２ｅから補強部材４３内に挿入される挿入片部４２ｆ，４２ｇを有している。
【００５０】
より具体的には、桁部材４０を構成する板状体４２には、図１２に示すように、両側からそれぞれ内側に向かって順に、長手方向に沿って形成された巻回用第１折曲線４０ａ，巻回用第２折曲線４０ｂ，巻回用第３折曲線４０ｃが設けられており、両側からそれぞれ内側に向かって折り畳むことにより桁部材２が構成される。なお、板状体４２の中芯を形成するフルートは、板状体４２の長手方向と直交する方向に延在している。これにより、折り畳むと、フルートが垂直方向に延在するため、桁部材４０の耐荷重強度を著しく向上させることができる。
【００５１】
桁部材を形成する板状体としては、紙製ダンボール板、プラスチック製ダンボール板、耐水ダンボール板等の各種ダンボール板の他、例えばダンボール板以外の紙製または樹脂製の板状体などであってもよい。なお、この実施例の桁部材４０は、紙製ダンボール板にて形成されている。
【００５２】
天板は桁部材４０上に載置固定され、搬送用パレットの天板として上面に製品等を載置するための部位であり、図７に示した桁付きパレット1の天板４と同様に、平面視略正方形の紙製ダンボール板が３枚、厚さ方向に積層されて形成されている。
【００５３】
ただし、天板を形成する板材としては紙製ダンボール板に限定されるものではなく、プラスチックダンボール板、耐水ダンボール板等のその他のダンボール板の他、紙製または樹脂製の板材などであってもよい。
【００５４】
また、天板は複数種の異なるダンボール板を組み合わせたもの、あるいは一部にダンボール板以外の例えば木質系、樹脂系、金属製、紙製、発泡体等の板材を有するものなども広く包含される。さらに、この実施例の天板は、３枚のダンボール板から形成されているが、肉厚に形成された一枚の板材からなるもの、積層枚数が３以外の枚数のものでもよい。さらに、この実施例の天板は平面視矩形であるが、どのような平面形状のものも本発明における天板に広く包含される。
【００５５】
なお、図７に示した桁付きパレット1の天板４には、厚さ方向に貫通して設けられた貫通穴３が設けられているが、この実施例の天板には貫通穴はなく、天板と桁部材４０との固定は接着剤にて行う。ただし、桁付きパレット1のように、天板に貫通穴を設け、係止部材により天板と桁部材とを固定してもよい。
【００５６】
補強部材４３は、桁部材４０の長手方向に対して直交する方向の強度を増大させるためのものであり、この実施例では、図１６に示すように、桁部材４０内に長手方向に沿って離間して５つの補強部材４３が配されている。
【００５７】
この実施例の補強部材４３は、図１３に示した板状体４４が長手方向の両端側から中央に向かって折り畳まれて構成されており、板状体４４は、図１３中上方から順次、第１直交方向補強部４１ａ，第１連設部４５ａ，第２直交方向補強部４１ｂ，第２連設部４５ｂ，第３直交方向補強部４１ｃ，第３連設部４５ｃ，第４直交方向補強部４１ｄを有している。
【００５８】
より具体的には、補強部材４３を構成する板状体４４には、図１３に示すように、図中上方から順に、長手方向に直交する方向に沿って形成された第１巻回用部分切断線４６ａ，第２巻回用部分切断線４６ｂ，第３巻回用部分切断線４６ｃ，第４巻回用部分切断線４６ｄ，第５巻回用部分切断線４６ｅ，第６巻回用部分切断線４６ｆが設けられており、図１４または図１５に示すように、それらに沿って内側に直角に折り曲げることにより、立方体形状の補強部材４３が形成されるように構成されている。
【００５９】
このように、この実施例の補強部材４３は、一つの補強部材４３が複数（４枚）の直交方向補強部４１ａ，４１ｂ，４１ｃ，４１ｄを有するように組み立てることができるため、より桁部材の長手方向に対して直交する方向の強度を増大させることができる。また、立方体形状に形成できる（箱型である）ことからも桁部材の長手方向に対して直交する方向の強度をより増大させることができる。さらに、両端に設けられた第１直交方向補強部４１ａと第４直交方向補強部４１ｄが面当接することに加え、２つの長方体が接合される形態で補強部材４３が構成できることからも、さらに桁部材の長手方向に対して直交する方向の強度を増大させることができる。
【００６０】
なお、板状体４４の中芯を形成するフルートは、第１巻回用部分切断線４６ａ等の延在方向（板状体４４の長手方向）と直交する方向に延在している。これにより、折り畳むと、フルートが垂直方向に延在するため、補強部材４３の耐荷重強度を著しく向上させることができる。
【００６１】
また、この実施例の補強部材４３は、板状体４４の一端側に、図１３に示すように、係止片４７ａと、この係止片４７ａを収容し係止可能とする係止片収容用切欠き部４７ｂを有している。具体的には、係止片４７ａは第１直交方向補強部４１ａの一端側に設けられており、他方、係止片収容用切欠き部４７ｂは第４直交方向補強部４１ｄの一端側に設けられており、図１５に示すように、第１直交方向補強部４１ａと第４直交方向補強部４１ｄを面当接させた後、係止片４７ａを水平方向に略９０度倒して係止片収容用切欠き部４７ｂ内に収容させることで、板状体４４の立方体形状を確実に保持することができると共に、補強部材４３による直交方向の補強がより確実なものとなるよう構成されている。
【００６２】
さらに、この実施例の補強部材４３は、板状体４４の他端側に、図１３に示すように、桁部材４０の挿入片部４２ｆ，４２ｇを差し込み保持可能な溝部４９を有している。具体的には、溝部４９は、第１直交方向補強部４１ａ，第２直交方向補強部４１ｂ，第３直交方向補強部４１ｃ，第４直交方向補強部４１ｄの他端側にそれぞれ設けられており、板状体４４を組み立てると、図１４に示すように、一列に並ぶように構成され、これら溝部４９内に桁部材４０の挿入片部４２ｆ，４２ｇを挿入することにより、図１７に示すように、補強部材４３が桁部材４０内に収容されるように構成されている。また、溝部４９の端部は、挿入口を広くして桁部材４０の挿入片部４２ｆ，４２ｇの挿入をより容易なものとするために、三角形状に切り欠かれ形成されている。
【００６３】
さらに、桁部材４０の挿入片部４２ｇには、図１２に示すように、組み立てられた補強部材４３とより深く係合するための係合部４８が補強部材４３の配置位置に対応して形成されている。具体的には、係合部４８は、桁部材４０の長手方向に対して直交する方向に設けられた３本の切欠き溝であり、これら３本切欠き溝が形成されていることにより、桁部材４０の挿入片部４２ｇを５つの各補強部材４３の溝部４９内に挿入する際に深く侵入することができ、補強部材４３をより確実に桁部材４０内の所定位置にそれぞれ固定できるように構成されている。そして、係合部４８の端部もまた、挿入口を広くすることで補強部材４３の溝部４９内への挿入片部４２ｇの挿入がより容易となるよう、三角形状に切り欠かれて形成されている。
【００６４】
補強部材を形成する板状体としては、紙製ダンボール板、プラスチック製ダンボール板、耐水ダンボール板等の各種ダンボール板の他、例えばダンボール板以外の紙製または樹脂製の板状体などであってもよい。この実施例の補強部材４３は、紙製ダンボール板にて形成されている。
【００６５】
なお、この実施例の補強部材４３は、桁部材４０内に全体が収納されているが、補強部材４３の一部（例えば直交方向補強部４１）が桁部材の外方に延出したようなものも本発明の範疇に包含される。
【００６６】
つぎに、図１２ないし図１７に示した桁付きパレットの製造方法について説明する。
この実施例の桁付きパレットは、板状体４２を折り畳んで複数の桁部材４０を形成する工程と、複数の紙製ダンボール板を厚さ方向に積層して天板を形成する工程と、複数の桁部材４０の上部に天板を載置して固定する工程とを有し、  板状体４２を折り畳んで複数の桁部材４０を形成する工程は、桁部材４０内に桁部材４０の長手方向に直交する方向に配される直交方向補強部４１を備えた補強部材４３を配する工程を有している。以下、各工程について詳述する。
【００６７】
板状体４２を折り畳んで複数の桁部材４０を形成する工程は、紙製ダンボール板をトムソン加工などにより所要の形態（図１２の板状体４２）に切断加工すると共に各部の境界を屈曲加工して板状体４２を作製する工程と、補強部材４３を桁部材４０内に配する工程と、板状体４２の各部を屈曲させて桁部材４０を組み立てる工程とにより行われる。
【００６８】
補強部材４３を桁部材４０内に配する工程では、図１４（ｂ）または図（ｃ）に示すように、第１巻回用部分切断線４６ａ，第２巻回用部分切断線４６ｂ，第３巻回用部分切断線４６ｃ，第４巻回用部分切断線４６ｄ，第５巻回用部分切断線４６ｅ，第６巻回用部分切断線４６ｆをそれぞれ９０度屈曲させて立方体形状を構成した後、図１５に示したように、第１直交方向補強部４１ａと第４直交方向補強部４１ｄを面当接させた後、係止片４７ａを水平方向に略９０度倒して係止片収容用切欠き部４７ｂ内に収容させることで、板状体４４の立方体形状を確実に保持させて組み立てることにより行われる。そして、組み立てた５つの補強部材４３を、図１６（ａ）に示すように、板状体４２の底壁部４２ａ上面に離間して配する。
【００６９】
板状体４２の各部を屈曲させて桁部材４０を組み立てる工程では、図１６（ｂ）または図１６（ｃ）および図１７（ｄ）または図１７（ｅ）に示すように、板状体４２の巻回用第１折曲線４０ａ，巻回用第２折曲線４０ｂ，巻回用第３折曲線４０ｃをそれぞれ９０度屈曲させて長尺状長方体形状に構成する。
【００７０】
複数の紙製ダンボール板を厚さ方向に積層して天板を形成する工程は、紙製ダンボール板を所望の形状（図７に示すような平面視矩形）に成形する工程と、成形した複数枚の紙製ダンボール板を積載して重ね合わせて接着する工程を有し、成形工程は、紙製ダンボール板をトムソン加工などにより切断加工することにより行われる。
【００７１】
複数（この実施例では３本）の桁部材４０の上部に天板を載置して固定する工程は、３本の桁部材４０を等間隔離間させて平行に配し、桁部材４０の上面に接着剤を塗布した後、天板を載置して固着させることにより行われる。
【００７２】
このように、この実施例の桁付きパレットは、上記工程を経て作製されることにより、桁部材の作製に多量な接着剤や煩雑な接着剤塗布作業および接合作業を要せず低廉に作製できると共に、使用者側でも容易に組み立てることができることに加え、桁部材の長手方向に対して直交する方向の強度を増大させた桁付きパレットを構成できる。
【００７３】
さらに、図１８または図１９に示した本発明の桁付きパレットの他の実施例について説明する。
この実施例の桁付きパレット６０と前述した桁付きパレット１との基本的な相違は、桁付きパレット６０が、桁固定部材６１と桁部材間保持部材６２を有し、さらに、天板６３が、桁部材６４の側面６４ａに当接する側面当接面部６３ａと、側面当接面部６３ａに連設され桁部材６４の凹条部６５に挿入される挿入片部６３ｂを有している点である。
【００７４】
具体的には、桁固定部材６１は、図１９に示すように、天板６３の裏面６３ｃに当接する天板当接面部６１ａと、天板当接面部６１ａの両側にそれぞれ連設され桁部材６４の側面６４ａに当接する桁部材当接面部６１ｂと、桁部材当接面部６１ｂにそれぞれ連設され桁部材６４の凹条部６５に挿入される挿入片部６１ｃを有している。
【００７５】
そして、図１８に示すように、天板６３の裏面６３ｃに天板当接面部６１ａを当接させて接着し、桁部材当接面部６１ｂを桁部材６４の側面６４ａに当接させて接着し、さらに、挿入片部６１ｃを桁部材６４の裏面６４ｂに当接させると共に折り曲げられた端辺片部を桁部材６４の凹条部６５に挿入することにより、桁部材６４を天板６３に固定させる。この桁固定部材６１の作用により、桁部材６４が天板６３より外れることがより防止されるように構成されている。なお、桁部材６４の凹条部６５は、前述した桁部材４０の溝部４９と略同様に形成されている。
【００７６】
桁部材間保持部材６２は、図１８または図１９に示すように、離間して配された桁部材６４間に掛け渡されると共に桁部材６４の裏面６４ｂに当接する底面構成部６２ａと、底面構成部６２ａに連設され桁部材６４の凹条部６５に挿入される挿入片部６２ｂを有している。
【００７７】
そして、図１９に示すように、底面構成部６２ａを離間して配された桁部材６４間に掛け渡すと共に桁部材６４の裏面６４ｂに当接させ、さらに、挿入片部６２ｂを桁部材６４の凹条部６５に挿入し接着することにより、桁部材６４のぐらつきを抑制できると共に、桁部材６４を天板６３により安定した状態で取り付けることができる。
【００７８】
さらに、この実施例の桁付きパレット６０の天板６３は、桁部材６４の側面６４ａに当接する側面当接面部６３ａと、側面当接面部６３ａに連設され桁部材６４の凹条部６５に挿入される挿入片部６３ｂを有している。
【００７９】
そして、図１８に示すように、側面当接面部６３ａを桁部材６４の側面６４ａに当接させて接着し、桁部材当接面部６１ｂを桁部材６４の側面６４ａに当接させて接着し、さらに、挿入片部６３ｂを桁部材６４の裏面６４ｂに当接させると共に折り曲げられた端辺片部を桁部材６４の凹条部６５に挿入することにより、桁部材６４と天板６３を固定する。これにより、桁部材６４と天板６３とをより強固に固定することができる。
【００８０】
上記のように、桁付きパレット６０は、天板６３の裏面６３ｃに当接する天板当接面部６１ａと、天板当接面部６１ａの両側にそれぞれ連設され桁部材６４の側面６４ａに当接する桁部材当接面部６１ｂとを有する桁固定部材６１を備えているため、複数の桁部材６４の上部に天板６３を載置して固定する工程は、桁固定部材６１を天板６３の裏面６３ｃに固定する工程を有している。この工程により、桁部材６４が天板６３より外れることをより防止できる。
【００８１】
さらに、桁付きパレット６０は、離間して配された桁部材６４間に掛け渡されると共に桁部材６４の裏面６４ｂに当接する底面構成部６２ａを有する桁部材間保持部材６２を備えているため、複数の桁部材６４の上部に天板６３を載置して固定する工程は、桁部材間保持部材６２を桁部材６４の裏面６４ｂに固定する工程を有している。この工程により、桁部材６４のぐらつきを抑制できると共に、桁部材６４を天板６３により安定した状態で取り付けることができる。
【符号の説明】
【００８２】
１          桁付きパレット
２          桁部材
３          貫通穴
４          天板
５          係止部材
６          板状体
７          底壁部
８          側壁部
９          側壁部
１０        折畳芯部
１１        溝部
１２        切り欠き部
１３        係止片収容空間
１４        上端延出片
【図１】
2015134640.tif 000003
【図２】
2015134640.tif 000004
【図３】
2015134640.tif 000005
【図４】
2015134640.tif 000006
【図５】
2015134640.tif 000007
【図６】
2015134640.tif 000008
【図７】
2015134640.tif 000009
【図８】
2015134640.tif 000010
【図９】
2015134640.tif 000011
【図１０】
2015134640.tif 000012
【図１１】
2015134640.tif 000013
【図１２】
2015134640.tif 000014
【図１３】
2015134640.tif 000015
【図１４】
2015134640.tif 000016
【図１５】
2015134640.tif 000017
【図１６】
2015134640.tif 000018
【図１７】
2015134640.tif 000019
【図１８】
2015134640.tif 000020
【図１９】
2015134640.tif 000021
【図２０】
2015134640.tif 000022